【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
混雑したアセット環境内の悪い状態を特定するための方法であって、前記方法は、
それぞれが複数のアセットのうちの１つと関連付けられる、複数のワイヤレス送受信機を提供することであって、各ワイヤレス送受信機は、第１の高電力長距離動作モードと第２の低電力短距離ビーコン動作モードとで動作するように動作可能であり、前記複数のワイヤレス送受信機のそれぞれは、関連付けられたアセットの状態を監視するセンサと関連付けられ、前記複数のアセットは、前記第１の高電力長距離動作モードで動作している場合に空間内にアセットの特定を可能にせず、かつ、前記第２の低電力短距離ビーコン動作モードで動作している場合に前記空間内に特定を可能にする、前記空間内に特定される、ことと、
伝送電力を高出力電力に調節する前記第１の高電力長距離動作モードで各ワイヤレス送受信機を動作させることと、
センサ受信機を用いて前記第１の高電力長距離動作モードを使用する前記アセットの状態を監視することと、
前記複数のワイヤレス送受信機のうちの少なくとも１つによって、アラームを前記センサ受信機に通信することと、
前記センサ受信機によって前記複数のワイヤレス送受信機の全てにコマンドを伝送し、前記第２の低電力短距離ビーコン動作モードに切り替え、前記アセットの特定を可能にすることと、
前記複数のワイヤレス送受信機のそれぞれを前記第２の低電力短距離ビーコン動作モードで動作するように切り替えることであって、前記伝送電力は、低出力電力に設定される、ことと、
前記アラームを発生する前記アセットを特定することと
を含む、方法。
【請求項２】
前記第１の高電力長距離動作モードは、Ｂｌｕｅｔｏｏｔｈ（登録商標）低エネルギー伝送モードであり、前記第２の低電力短距離ビーコン動作モードは、Ｂｌｕｅｔｏｏｔｈ（登録商標）ビーコンモードである、請求項１に記載の方法。
【請求項３】
前記第１の高電力長距離動作モードは、送信機の最高可能出力電力を提供し、前記第２の低電力短距離ビーコン動作モードは、最低可能出力電力を提供する、請求項１に記載の方法。
【請求項４】
前記コマンドを受信した後、前記アセットのそれぞれは、所定の時間ウィンドウに対して前記第２の低電力短距離ビーコン動作モードへと切り替え、その後、前記第１の高電力長距離動作モードに戻るように切り替える、請求項１に記載の方法。
【請求項５】
前記アラームを発生する前記アセットを特定することは、前記アラームを発生する前記アセットを特定するために、前記センサ受信機を前記複数のワイヤレス送受信機のそれぞれに物理的に近接して設置することを含む、請求項１に記載の方法。
【請求項６】
前記アラームは、通信しているワイヤレス送受信機と関連付けられた前記センサが故障しているという信号を備える、請求項１に記載の方法。
【請求項７】
前記センサ受信機は、モバイルコンピューティングデバイスを備える、請求項１に記載の方法。
【請求項８】
前記センサ受信機は、固定部分およびモバイル部分を備える、請求項１に記載の方法。
【請求項９】
前記アセットの状態は、温度、圧力、または時間から成る群から選択される、請求項１に記載の方法。
【請求項１０】
混雑したアセット環境内の悪い状態を特定するためのシステムであって、前記システムは、
それぞれが複数のアセットのうちの１つと関連付けられる、複数のワイヤレス送受信機であって、前記複数のワイヤレス送受信機のそれぞれは、前記関連付けられたアセットの状態を監視するセンサと関連付けられ、前記複数のワイヤレス送受信機のそれぞれは、第１の高電力長距離動作モードと第２の低電力短距離ビーコン動作モードとで動作するように動作可能であり、前記複数のアセットは、前記第１の高電力長距離動作モードで動作している場合に空間内にアセットの特定を可能にせず、かつ、前記第２の低電力短距離ビーコン動作モードで動作している場合に前記空間内に特定を可能にする、前記空間内に特定される、複数のワイヤレス送受信機と、
前記複数のワイヤレス送受信機のそれぞれに通信可能に結合されたセンサ受信機であって、前記センサ受信機は、伝送電力を高出力電力に調節する前記第１の高電力長距離動作モードで動作する前記複数のワイヤレス送受信機から伝送を受信することによって、前記アセットの状態を監視するように動作可能である、センサ受信機と
を備え、
前記複数のワイヤレス送受信機のそれぞれは、
伝送電力を高出力電力に調節する前記第１の高電力長距離動作モードにおいて、前記アセットの状態と関連付けられた監視データを前記センサ受信機に通信することと、
前記第１の高電力長距離動作モードにおいて、アラームを前記センサ受信機に通信することと、
前記センサ受信機からの信号に応答して、前記第２の低電力短距離ビーコン動作モードで動作するように切り替えることであって、前記伝送電力は、低出力電力に設定される、ことと
を行うように動作可能であり、
前記センサ受信機はさらに、前記アラームを発生する前記センサを特定するように動作可能である、システム。
【請求項１１】
前記第１の高電力長距離動作モードは、Ｂｌｕｅｔｏｏｔｈ（登録商標）低エネルギー伝送モードであり、前記第２の低電力短距離ビーコン動作モードは、Ｂｌｕｅｔｏｏｔｈ（登録商標）ビーコンモードである、請求項１０に記載のシステム。
【請求項１２】
前記第１の高電力長距離動作モードは、送信機の最高可能出力電力を提供し、前記第２の低電力短距離ビーコン動作モードは、最低可能出力電力を提供する、請求項１０に記載のシステム。
【請求項１３】
前記信号を受信した後、前記アセットのそれぞれは、所定の時間ウィンドウに対して前記第２の低電力短距離ビーコン動作モードへと切り替え、その後、前記第１の高電力長距離動作モードに戻るように切り替えるように構成されている、請求項１０に記載のシステム。
【請求項１４】
前記アラームを発生する前記センサを特定することは、前記アラームを発生する前記センサを特定するために、前記センサ受信機を前記複数のワイヤレス送受信機のそれぞれに物理的に近接して設置することを含む、請求項１０に記載のシステム。
【請求項１５】
前記アラームは、通信しているワイヤレス送受信機と関連付けられた前記センサが故障しているという信号を備える、請求項１０に記載のシステム。
【請求項１６】
前記センサ受信機は、モバイルコンピューティングデバイスを備える、請求項１０に記載のシステム。
【請求項１７】
前記センサ受信機は、固定部分およびモバイル部分を備える、請求項１０に記載のシステム。
【請求項１８】
混雑したアセット環境内の悪い状態を特定するためのシステムであって、前記システムは、
複数のアセットであって、前記複数のアセットのそれぞれは、前記アセットの状態を監視するセンサと関連付けられている、複数のアセットと、
複数のワイヤレス送受信機であって、前記複数のワイヤレス送受信機のそれぞれは、前記センサのうちの１つ以上と関連付けられ、前記複数のワイヤレス送受信機のそれぞれは、調節可能伝送電力を提供するように動作可能である、複数のワイヤレス送受信機と
を備え、
前記複数のワイヤレス送受信機のそれぞれは、
伝送電力を高出力電力に調節する、長距離動作モードにおいて、前記アセットの状態と関連付けられた監視データをセンサ受信機に通信することと、
前記長距離動作モードにおいて、アラームを前記センサ受信機に通信することと、
前記センサ受信機からの信号に応答して、特定動作モードで動作するように切り替えることであって、前記伝送電力は、低出力電力に設定される、ことと、
前記アラームを発生する前記センサが特定されていると、前記センサ受信機から受信された第２の信号に応答して、前記長距離動作モードで動作することに戻ることと
を行うように動作可能である、システム。
【請求項１９】
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、請求項１８に記載のシステム。
【手続補正２】
【補正対象書類名】明細書
【補正対象項目名】００１２
【補正方法】変更
【補正の内容】
【００１２】
種々の実施形態では、混雑したアセット環境内の悪い状態を特定することは、混雑したアセット環境内の悪い状態を特定するためのシステムを含んでもよい。本システムは、複数のアセットであって、複数のアセットのそれぞれは、アセットの状態を監視するセンサと関連付けられる、複数のアセットと、複数のワイヤレス送受信機であって、複数のワイヤレス送受信機のそれぞれは、センサのうちの１つ以上と関連付けられ、複数のワイヤレス送受信機のそれぞれは、調節可能伝送電力を提供するように動作可能である、複数のワイヤレス送受信機とを含んでもよく、複数のワイヤレス送受信機のそれぞれは、伝送電力を高出力電力に調節する、長距離動作モードにおいて、アセットの状態と関連付けられた監視データをセンサ受信機に通信することと、長距離動作モードにおいて、アラームをセンサ受信機に通信することと、センサ受信機からの信号に応答して、特定動作モードで動作するように切り替えることであって、伝送電力は、低出力電力に設定される、ことと、アラームを発生するセンサが特定されていると、センサ受信機から受信された第２の信号に応答して、長距離動作モードで動作することに戻ることとを行うように動作可能である。
本願明細書は、例えば、以下の項目も提供する。
（項目１）
混雑したアセット環境内の悪い状態を特定するための方法であって、前記方法は、
複数のワイヤレス送受信機を提供することであって、各ワイヤレス送受信機は、調節可能伝送電力を提供するように動作可能であり、前記複数のワイヤレス送受信機のそれぞれは、アセットの状態を監視するセンサと関連付けられている、ことと、
前記伝送電力を高出力電力に調節する、長距離動作モードで各ワイヤレス送受信機を動作させることと、
センサ受信機を用いて前記長距離動作モードを使用する前記アセットの状態を監視することと、
前記複数のワイヤレス送受信機のうちの少なくとも１つによって、アラームを前記センサ受信機に通信することと、
前記センサ受信機によって前記複数のワイヤレス送受信機の全てにコマンドを伝送し、低伝送電力出力に切り替え、アイテムの特定を可能にすることと、
前記複数のワイヤレス送受信機のそれぞれを特定動作モードで動作するように切り替えることであって、前記伝送電力は、低出力電力に設定される、ことと、
前記アラームを発生するセンサを特定することと
を含む、方法。
（項目２）
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、項目１に記載の方法。
（項目３）
前記長距離動作モードは、送信機の最高可能出力電力を提供し、前記特定動作モードは、最低可能出力電力を提供する、項目１または項目２に記載の方法。
（項目４）
最低可能出力電力は、他のアイテムから最小重複を提供する伝送距離を提供する、項目３に記載の方法。
（項目５）
前記アラームを発生するセンサを特定することは、前記アラームを発生するセンサを特定するために、前記センサ受信機を前記複数のワイヤレス送受信機のそれぞれに物理的に近接して設置することを含む、前記項目のうちの１項に記載の方法。
（項目６）
前記アラームは、通信しているワイヤレス送受信機と関連付けられたセンサが故障しているという信号を備える、前記項目のうちの１項に記載の方法。
（項目７）
前記センサ受信機は、モバイルコンピューティングデバイスを備える、前記項目のうちの１項に記載の方法。
（項目８）
前記センサ受信機は、固定部分およびモバイル部分を備える、前記項目のうちの１項に記載の方法。
（項目９）
前記アセットの状態は、温度、圧力、または時間から成る群から選択される、前記項目のうちの１項に記載の方法。
（項目１０）
混雑したアセット環境内の悪い状態を特定するためのシステムであって、前記システムは、
複数のワイヤレス送受信機であって、前記複数のワイヤレス送受信機のそれぞれは、アセットの状態を監視するセンサと関連付けられ、前記複数のワイヤレス送受信機のそれぞれは、調節可能伝送電力を提供するように動作可能である、複数のワイヤレス送受信機と、
前記複数のワイヤレス送受信機のそれぞれに通信可能に結合されたセンサ受信機であって、前記センサ受信機は、伝送電力を高出力電力に調節する、長距離動作モードで動作する前記複数のワイヤレス送受信機から伝送を受信することによって、前記アセットの状態を監視するように動作可能である、センサ受信機と
を備え、
前記複数のワイヤレス送受信機のそれぞれは、
伝送電力を高出力電力に調節する、長距離動作モードにおいて、前記アセットの状態と関連付けられた監視データを前記センサ受信機に通信することと、
前記長距離動作モードにおいて、アラームを前記センサ受信機に通信することと、
前記センサ受信機からの信号に応答して、特定動作モードで動作するように切り替えることであって、前記伝送電力は、低出力電力に設定される、ことと
を行うように動作可能であり、
前記センサ受信機はさらに、前記アラームを発生するセンサを特定するように動作可能である、システム。
（項目１１）
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、項目１０に記載のシステム。
（項目１２）
前記長距離動作モードは、送信機の最高可能出力電力を提供し、前記特定動作モードは、最低可能出力電力を提供する、項目１０または項目１１に記載のシステム。
（項目１３）
最低可能出力電力は、他のアイテムから最小重複を提供する伝送距離を提供する、項目１２に記載のシステム。
（項目１４）
前記アラームを発生するセンサを特定することは、前記アラームを発生するセンサを特定するために、前記センサ受信機を前記複数のワイヤレス送受信機のそれぞれに物理的に近接して設置することを含む、項目１０−１３のうちの１項に記載のシステム。
（項目１５）
前記アラームは、通信しているワイヤレス送受信機と関連付けられたセンサが故障しているという信号を備える、項目１０−１４のうちの１項に記載のシステム。
（項目１６）
前記センサ受信機は、モバイルコンピューティングデバイスを備える、項目１０−１５のうちの１項に記載のシステム。
（項目１７）
前記センサ受信機は、固定部分およびモバイル部分を備える、項目１０−１６のうちの１項に記載のシステム。
（項目１８）
前記アセットの状態は、温度、圧力、または時間から成る群から選択される、項目１０−１７のうちの１項に記載のシステム。
（項目１９）
混雑したアセット環境内の悪い状態を特定するためのシステムであって、前記システムは、
複数のアセットであって、前記複数のアセットのそれぞれは、前記アセットの状態を監視するセンサと関連付けられている、複数のアセットと、
複数のワイヤレス送受信機であって、前記複数のワイヤレス送受信機のそれぞれは、前記センサのうちの１つ以上と関連付けられ、前記複数のワイヤレス送受信機のそれぞれは、調節可能伝送電力を提供するように動作可能である、複数のワイヤレス送受信機と
を備え、
前記複数のワイヤレス送受信機のそれぞれは、
伝送電力を高出力電力に調節する、長距離動作モードにおいて、前記アセットの状態と関連付けられた監視データをセンサ受信機に通信することと、
前記長距離動作モードにおいて、アラームを前記センサ受信機に通信することと、
前記センサ受信機からの信号に応答して、特定動作モードで動作するように切り替えることであって、前記伝送電力は、低出力電力に設定される、ことと、
前記アラームを発生するセンサが特定されていると、前記センサ受信機から受信された第２の信号に応答して、前記長距離動作モードで動作することに戻ることと
を行うように動作可能である、システム。
（項目２０）
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、項目１９に記載のシステム。